(57)【要約】【課題】取出口を容易に開けることができ、操作性を向上させることができる容器を提供することを目的としている。【解決手段】粒状の内容物Ｔを収容する扁平状の容器本体２と、容器本体２の周壁部６の外側に周設された操作板３と、が備えられ、周壁部６には、内容物Ｔを取り出す取出口６２が形成され、操作板３には、容器本体２の外方側に膨出していると共に容器本体２の内方側に向かって反転可能な押圧部３０と、押圧部３０の反転動作に連動して取出口６２を開閉する蓋部３１と、が備えられ、取出口６２が、押圧部３０の押圧方向に交差する方向に向けて開口されている。【選択図】図１
2011073712.tif 000002
【特許請求の範囲】
【請求項１】
粒状の内容物を収容する扁平状の容器本体と、該容器本体の周壁部の外側に周設された操作板と、が備えられ、
前記周壁部には、前記内容物を取り出す取出口が形成され、
前記操作板には、前記容器本体の外方側に膨出していると共に前記容器本体の内方側に向かって反転可能な押圧部と、該押圧部の反転動作に連動して前記取出口を開閉する蓋部と、が備えられ、
前記取出口が、前記押圧部の押圧方向に交差する方向に向けて開口されていることを特徴とする容器。
【請求項２】
請求項１に記載の容器において、
前記容器本体の内部が複数の収容室に区画されており、
前記複数の収容室にそれぞれ開口した複数の前記取出口が前記周壁部に形成されていると共に、前記複数の取出口をそれぞれ開閉する複数の前記操作板が備えられていることを特徴とする容器。
【請求項３】
請求項１または２記載の容器において、
前記押圧部の反転動作を規制するロック部材が備えられていることを特徴とする容器。
【発明の詳細な説明】
【技術分野】
【０００１】
本発明は、例えばタブレット状の清涼菓子等の粒状の内容物を収容する容器に関する。
【背景技術】
【０００２】
この種の容器として、従来、下記特許文献１に記載されているような、内容物を収容する扁平状の容器本体と、その容器本体の外周部に取り付けられた開閉部材と、を備える容器が知られている。上記した容器本体の外周面の一部は開口されており、その開口部に上記した開閉部材が嵌め込まれている。そして、その開閉部材の一端は、ヒンジを介して容器本体に回転可能に連結されている。この容器によれば、開閉部材をヒンジ回りに回転させ、開閉部材を容器本体の開口部から引き出すことで、容器本体の開口部の一部（取出口）が開放され、そこから内容物が取り出される。
【先行技術文献】
【特許文献】
【０００３】
【特許文献１】特開平８−２９５３７５号公報
【発明の概要】
【発明が解決しようとする課題】
【０００４】
しかしながら、上記した従来の容器では、内容物を取り出す際、容器本体の開口部の内側に嵌め込まれた開閉部材を指等で回転させながら引き出さなければならないので、開けにくいという問題がある。
【０００５】
本発明は、上記した従来の問題が考慮されたものであり、取出口を容易に開けることができ、操作性を向上させることができる容器を提供することを目的としている。
【課題を解決するための手段】
【０００６】
本発明に係る容器は、粒状の内容物を収容する扁平状の容器本体と、該容器本体の周壁部の外側に周設された操作板と、が備えられ、前記周壁部には、前記内容物を取り出す取出口が形成され、前記操作板には、前記容器本体の外方側に膨出していると共に前記容器本体の内方側に向かって反転可能な押圧部と、該押圧部の反転動作に連動して前記取出口を開閉する蓋部と、が備えられ、前記取出口が、前記押圧部の押圧方向に交差する方向に向けて開口されていることを特徴としている。
【０００７】
このような特徴により、容器本体内の内容物を取り出す際には、操作板の押圧部を押圧する。これにより、押圧部が容器本体の内方側に反転して容器本体の内方側に窪んだ状態となる。このとき、その押圧部の反転動作に連動して蓋部が回動して取出口から離間し、取出口が開けられる。これにより、取出口から内容物が取り出される。また、押圧部は上記した反転した姿勢で保持されるので、蓋部が取出口から離間した位置で保持され、取出口の開状態が維持される。
内容物を取り出した後は、上記した蓋部を取出口側に向けて押圧する。これにより、蓋部が回動して取出口を閉塞し、取出口が閉じられる。このとき、その蓋部の動作に連動して押圧部が容器本体の内方側に窪んだ状態から反転して元の状態に戻る。
なお、上記した「反転」は、押圧部の膨出方向が反対向きになる変形をいい、反転の前後の形状が線対称になる場合だけでなく、反転の前後で異なる形状になる場合も含むものとする。
【０００８】
また、本発明に係る容器は、前記容器本体の内部が複数の収容室に区画されており、前記複数の収容室にそれぞれ開口した複数の前記取出口が前記周壁部に形成されていると共に、前記複数の取出口をそれぞれ開閉する複数の前記操作板が備えられていることが好ましい。
これにより、複数の操作板を適宜操作して複数の取出口を適宜開けることで、複数の収容室にそれぞれ収容された内容物が適宜取り出される。
【０００９】
また、本発明に係る容器は、前記押圧部の反転動作を規制するロック部材が備えられていることが好ましい。
これにより、ロック部材によって押圧部の反転動作が規制されることで、蓋部が不用意に開けられることが防止される。
【発明の効果】
【００１０】
本発明に係る容器によれば、操作板の押圧部を押圧することで操作板の蓋部が回動して取出口が開けられるので、取出口を容易に開けることができ、操作性を向上させることができる。
【図面の簡単な説明】
【００１１】
【図１】本発明の実施の形態を説明するための容器の断面図である。
【図２】本発明の実施の形態を説明するための容器の斜視図である。
【図３】本発明の実施の形態を説明するための蓋部を開けた状態の容器の断面図である。
【図４】本発明の他の実施の形態を説明するための容器の斜視図である。
【発明を実施するための形態】
【００１２】
以下、本発明に係る容器の実施の形態について、図面に基いて説明する。
【００１３】
図１、図２に示すように、本実施形態における容器１は、平面視六角形状の扁平容器であり、その概略構成としては、粒状の内容物Ｔを収容する扁平状の容器本体２と、容器本体２の周壁部６の外側に周設された２つの操作板３と、が備えられている。上記した粒状の内容物Ｔとしては、例えば、タブレット状（錠剤状）の清涼菓子や薬剤、サプリメント等のほか、丸薬、カプセル剤、粒ガム等がある。
【００１４】
容器本体２は、一方向（図１に示すＹ軸方向）に長い箱状の容器であり、その概略構成としては、間隔をあけて対向配置された平板状の表壁部４及び裏壁部５と、これら表壁部４と裏壁部５との間に介在された周壁部６と、周壁部６の内側に配設された隔壁部７と、後述する押圧部３０の反転動作を規制するロック部材８と、を備えている。具体的に説明すると、容器本体２は、上記した表壁部４、周壁部６及びロック部材８を一体に形成した第一パーツ９と、上記した裏壁部５を形成する第二パーツ１０と、を組み立てて形成される。
【００１５】
表壁部４及び裏壁部５は、それぞれ平面視多角形状の平板部であり、略同形状に形成されている。具体的に説明すると、表壁部４及び裏壁部５は、それぞれ平面視において長手方向（Ｙ軸方向）に２つの六角形を連設した形状を成しており、表壁部４及び裏壁部５の短手方向（図１に示すＸ軸方向）の側辺は直線状に形成され、長手方向（Ｙ軸方向）の側辺は略Ｗ字状に形成されている。
【００１６】
周壁部６は、表壁部４や裏壁部５の外縁に概ね沿って延設された壁部であり、表壁部４の裏面に垂直に突設されている。
周壁部６のうち、短手方向の壁部（短手壁部６０）は、階段状に形成された壁部であり、その概略構成としては、表壁部４や裏壁部５の外縁と面一に配置された第一短手壁部６０ａと、表壁部４や裏壁部５の外縁から操作板３の厚さ分だけ離間して配置された第二短手壁部６０ｂと、からなる。これら第一短手壁部６０ａと第二短手壁部６０ｂとはＸ軸方向に連設されている。また、一対の短手壁部６０，６０の第二短手壁部６０ｂ，６０ｂには、内容物Ｔを取り出すための取出口６２がそれぞれ形成されている。つまり、容器本体２の周壁部６には、２つの取出口６２，６２が形成されている。取出口６２は、後述する操作板３の押圧部３０の押圧方向（Ｘ軸方向）に交差する方向に向けて開口された開口部であり、後述する第三長手壁部６１ｃに交差して延在する壁部（第二短手壁部６０ｂ）に形成されている。具体的には、取出口６２は、後述する操作板３の押圧部３０の押圧方向に直交する方向（Ｙ軸方向）に向けて開口されており、取出口６２が形成された第二短手壁部６０ｂは、押圧部３０の押圧方向と平行に延在している。
【００１７】
一方、周壁部６のうち、長手方向の壁部（長手壁部６１）は、ジグザグ状に形成された壁部であり、その概略構成としては、表壁部４や裏壁部５の外縁と面一に配置された第一長手壁部６１ａと、容器本体２の内方側に向かって窪んだ略Ｖ字状（略く字状）の第二長手壁部６１ｂ（凹壁部）と、表壁部４や裏壁部５の外縁から操作板３の厚さ分だけ離間して配置された第三長手壁部６１ｃと、からなる。上記した第一長手壁部６１ａは、長手壁部６１のＹ軸方向の一端部に配設されており、第三長手壁部６１ｃは、長手壁部６１のＹ軸方向の他端部に配設されており、これら第一長手壁部６１ａと第三長手壁部６１ｃとの間に第二長手壁部６１ｂが配設されている。
また、上記した一対の短手壁部６０，６０及び一対の長手壁部６１，６１は、それぞれ容器本体２の中心点Ｏを中心に点対称（回転対称）に形成されており、両側の取出口６２，６２は、互いに反対向きに開口されている。
【００１８】
隔壁部７は、周壁部６（容器本体２）の内側の空間を２つの収容室１１Ａ，１１Ｂに区画する壁部であり、表壁部４の裏面に垂直に突設されている。この隔壁部７は、上記した一対の長手壁部６１，６１の一方から他方にかけて延設されている。具体的には、隔壁部７は、対向する両側の第二長手壁部６１ｂ，６１ｂの各中央の屈曲部分の間に配設されている。この隔壁部７を介して隔てられた２つ収容室１１Ａ，１１Ｂは、平面視において、それぞれ略六角形状に形成され、隔壁部７を対称軸にして線対称に形成されている。そして、これら２つの収容室１１Ａ，１１Ｂには、上記した取出口６２がそれぞれ開口されている。
【００１９】
ロック部材８は、２つの操作板３の開閉動作をそれぞれロックする部材であり、各操作板３ごとにそれぞれ設けられている。ロック部材８の概略構成としては、表壁部４の長手方向の側辺にヒンジ８０を介して一体的に連結された開閉板８１と、開閉板８１の裏面に突設されて後述する操作板３の押圧部３０を係止する係止部８２と、を備えている。
ヒンジ８０は、折り曲げ可能な屈曲部であり、表壁部４の長手方向の側辺に沿って延在している。
【００２０】
開閉板８１は、平面視菱形状の板材であり、上記したヒンジ８０回りに回転することで開閉される蓋板である。この開閉板８１は、閉じられた状態において、後述する操作板３の押圧部３０の上方に配設されると共に、表壁部４の長手方向の側辺の中央部分に形成された凹部（略Ｖ字状の切欠き部分）の内側に配置されている。このとき、開閉板８１の表面は、表壁部４の表面と面一に配置され、また、開閉板８１の側辺は、表壁部４の長手方向の側辺と直列（直線状）に並んでおり、閉じられた両側の開閉板８１，８１と表壁部４とは、全体で平面視六角形状を成している。
【００２１】
係止部８２は、上記した開閉板８１が閉じられた状態において、後述する操作板３の押圧部３０が容器本体２の内方側に反転しないように当該押圧部３０を係止する爪部であり、開閉板８１のヒンジ８０の反対側の側辺に沿って延設されている。この係止部８２は、上記した開閉板８１が閉じられた状態において、後述する押圧部３０の裏側に差し込まれて後述する押圧部３０の一方の板部３３の裏面に当接されている。
【００２２】
操作板３は、周壁部６の外面に被せられた帯状の板部材であり、表壁部４や裏壁部５に対して垂直に配置されている。また、この操作板３は、上記した２つの取出口６２，６２をそれぞれ開閉する開閉部材であり、各取出口６２ごとにそれぞれ設けられている。操作板３の概略構成としては、容器本体２の外方側に膨出していると共に指等で押圧されることで容器本体２の内方側に向かって反転可能な押圧部３０と、押圧部３０の反転動作に連動して取出口６２を開閉する蓋部３１と、を備えている。
【００２３】
押圧部３０は、平面視において、容器本体２の外側に向かって凸の略く字形状から容器本体２の内側に向かって凸の略く字形状に反転可能な板部である。詳しく説明すると、押圧部３０は、一対の板部３３，３４が折り曲げ可能な屈曲部３２を介して連結された構成からなる。この押圧部３０は、上記した周壁部６の第二長手壁部６１ｂに対向して配置されていると共に、容器本体２の外側に向かって凸となる向きに屈曲されており、上記したロック部材８の閉状態の開閉板８１の外側の側辺に沿って形成されている。また、上記した係止部８２が係止される一方の板部３３のうち、ロック部材８側の側部（開閉板８１が当接する部分）には、指先等が挿入可能な円弧状の切欠部３５が形成されている。また、押圧部３０の両端部は、表壁部４や裏壁部５に対して垂直な軸線回りに回転するヒンジ３６を介して容器本体２にそれぞれ連結されている。
【００２４】
これら両端のヒンジ３６は、表壁部４及び裏壁部５にそれぞれ設けられた軸受け部３７と、操作板３に設けられていると共に軸受け部３７に回転可能に支持された軸部３８と、からなる。軸受け部３７は、表壁部４の裏面及び裏壁部５の裏面にそれぞれ突設された平面視に略Ｃ字状の筒状部である。これら軸受け部３７は、第二長手壁部６１ｂの両端位置にそれぞれ配設されており、表壁部４に設けられた軸受け部３７と裏壁部５に設けられた軸受け部３７とは互いに対向する位置に配置されている。一方、軸部３８は、押圧部３０の両端部の裏面に連結された棒状の軸部であり、表壁部４や裏壁部５に対して垂直に延設されている。この軸部３８の両端部は、上記した軸受け部３７の内側にそれぞれ嵌め込まれており、軸受け部３７によって回転可能に支持されている。
【００２５】
蓋部３１は、押圧部３０の一方の板部３３に一体的に連設された平面視く字状の板部であり、上記した周壁部６の第三長手壁部６１ｃ及び第二短手壁部６０ｂにそれぞれ重ね合わせられている。この蓋部３１の基端部３９は、第三長手壁部６１ｃに重ね合わせられる平板状の壁部であり、押圧部３０の一方の板部３３と面一に形成されている。一方、蓋部３１の先端部４０は、第二短手壁部６０ｂに重ね合わせられると共に上記基端部３９に対して屈曲して連結された平板状の壁部であり、周壁部６の第一短手壁部６０ａと面一に配置されている。また、この蓋部３１の先端部４０によって、第二短手壁部６０ｂに形成された取出口６２が閉塞されている。
【００２６】
次に、上記した構成からなる容器１の作用について説明する。
【００２７】
容器本体２内の内容物Ｔを取り出す際、まず、図２に示すように、ロック部材８による操作板３の押圧部３０のロック（反転規制）を解除する。具体的に説明すると、押圧部３０の切欠部３５に指先等を差し込んで、ロック部材８の開閉板８１をヒンジ８０回りに回転させて開ける。これにより、開閉板８１の裏面に突設された係止部８２が押圧部３０の裏側から引き出され、係止部８２による押圧部３０の係止が解除されて押圧部３０の容器本体２の内方側への反転が許容される。
【００２８】
次に、図３に示すように、操作板３の押圧部３０を容器本体２の内方側に押圧する。これにより、押圧部３０が容器本体２の内方側（第二長手壁部６１ｂ側）に反転して容器本体２の内方側に窪んだ状態となる。すなわち、押圧部３０の屈曲部３２が折り曲げられると共に、押圧部３０の一対の板部３３，３４がヒンジ３６回りにそれぞれ回転して第二長手壁部６１ｂ側に移動する。このとき、押圧部３０に一体に連結された蓋部３１が、押圧部３０の反転動作に連動してヒンジ３６回りに回動し、容器本体２の外周部から外側に張り出される。これにより、蓋部３１の先端部４０が取出口６２から離間して取出口６２が開けられる。
【００２９】
次に、容器本体２を傾けたり振ったりして、開放された取出口６２から内容物Ｔを取り出す。このとき、押圧部３０は反転姿勢のまま保持されるので、蓋部３１が取出口６２から離間した位置で保持され、取出口６２が開けられた状態が維持される。
【００３０】
内容物Ｔを取り出した後に、上記した蓋部３１を閉じて取出口６２を閉塞する。具体的に説明すると、容器本体２の外周部から張り出された蓋部３１を取出口６２側に向けて押圧する。これにより、蓋部３１がヒンジ３６回りに回動し、図１に示すように、蓋部３１の基端部３９が第三長手壁部６１ｃに重ね合わせられると共に蓋部３１の先端部４０が第二短手壁部６０ｂに重ね合わせられ、第二短手壁部６０ｂに形成された取出口６２が蓋部３１の先端部４０によって閉塞される。このとき、その蓋部３１の回転動作に連動して押圧部３０が容器本体２の内方側に窪んだ状態から反転して元の状態に戻る。
【００３１】
次に、ロック部材８によって操作板３の押圧部３０をロック（反転規制）する。具体的に説明すると、ロック部材８の開閉板８１をヒンジ８０回りに回転させて押圧部３０の上に被せる。これにより、係止部８２が押圧部３０の裏側に差し込まれて押圧部３０の一方の板部３３の裏面を係止し、押圧部３０の容器本体２の内方側への反転が規制される。
【００３２】
上記した本発明によれば、操作板３の押圧部３０を押圧することで操作板３の蓋部３１が回動して取出口６２が開けられるので、取出口６２を容易に開けることができ、容器１の操作性を向上させることができる。
【００３３】
また、蓋部３１が取出口６２から離間して取出口６２が開放されたとき、押圧部３０が反転姿勢で保持され、取出口６２が開けられた状態が維持されるので、例えば、容器本体２を振って内容物Ｔを振り出すときに、蓋部３１が揺動せず、内容物Ｔの振り出し動作を容易に行うことができる。
【００３４】
また、上記した容器本体２の内部は隔壁部７によって２つの収容室１１Ａ，１１Ｂに区画されており、これら２つの収容室１１Ａ，１１Ｂに開口した取出口６２が周壁部６にそれぞれ形成され、さらに、それら２つの取出口６２ごとに操作板３が備えられているので、２つの操作板３を適宜操作して２つの取出口６２を適宜開けることで、２つの収容室１１Ａ，１１Ｂに収納された内容物Ｔを個別に取り出すことができる。これにより、例えば種類の異なる内容物Ｔを２つの収容室１１Ａ，１１Ｂに分けて収納させておけば、異なる種類の内容物Ｔを適宜取り出すことができる。
【００３５】
また、上記した容器１には、押圧部３０をロックするロック部材８が備えられており、このロック部材８によって押圧部３０の容器本体２の内方側への反転が規制されるので、操作板３の蓋部３１が不用意に開けられることを防止することができる。
【００３６】
以上、本発明に係る容器の実施の形態について説明したが、本発明は上記した実施の形態に限定されるものではなく、その趣旨を逸脱しない範囲で適宜変更可能である。
例えば、上記した実施の形態では、容器本体２が、表壁部４、周壁部６及びロック部材８を一体に形成した第一パーツ９と、上記した裏壁部５を形成する第二パーツ１０と、の２つのパーツからなるが、本発明は、上記した表壁部４及び裏壁部５のうちの少なくとも一方を周壁部６とヒンジを介して連結させることで、１つのパーツで容器本体２を形成することも可能である。また、本発明は、３つ以上のパーツで容器本体２を形成することも可能である。
【００３７】
また、上記した実施の形態では、表壁部４にヒンジ８０を介して連結された開閉板８１と、その開閉板８１の裏面に突設されて押圧部３０の裏面に係止される係止部８２と、を備えるロック部材８が備えられているが、本発明は、他の構成のロック部材８であってもよい。例えば、図４に示すように、表壁部４の表面に形成された溝部４１に沿ってスライドするスライド板１８１と、そのスライド板１８１の先端から押圧部３０の裏側に向けて突設された係止部１８２と、を備えたロック部材１０８であってもよい。
【００３８】
また、上記した実施の形態では、容器本体２にロック部材８が備えられており、表壁部４とロック部材８とが一体に形成されているが、本発明は、操作板３にロック部材を設けることも可能であり、例えば、押圧部３０にヒンジを介して連結させた開閉板と、その開閉板の裏面に突設されて周壁部６（第二長手壁部６１ｂ）の外周面に係止される係止部と、を備えるロック部材であってもよい。
さらに、本発明は、容器本体２や操作板３と別パーツのロック部材を用いることも可能であり、また、上記したようなロック部材８を省略することも可能である。
【００３９】
また、上記した実施の形態では、容器本体２の外側に向かって凸の略く字状の押圧部３０の中間部分に屈曲部３２が形成されており、この押圧部３０が容器本体２の内側に向かって押圧されることで、当該押圧部３０が容器本体２の内側に向かって凸の略く字状に反転変形する構成となっているが、本発明は、他の形状の押圧部であってもよい。例えば、平面視円弧状（湾曲板状）の押圧部の中間部分に屈曲部が形成されており、押圧部が容器本体２の内側に向かって押圧されることで、当該押圧部が容器本体２の内側に向かって凸の略く字状に折曲変形する構成であってもよい。或いは、平面視円弧状（湾曲板状）の押圧部の両端部分に屈曲部が形成されており、押圧部が容器本体２の内側に向かって押圧されることで、当該押圧部が容器本体２の内側に向かって凸の円弧状に反転変形する構成であってもよい。さらに、屈曲部が無い押圧部であってもよく、押圧部を支持するヒンジ３６の回転を利用して弾性反転させる構成であってもよい。
【００４０】
また、上記した実施の形態では、操作板３の蓋部３１が平面視く字状に屈曲した形状を成しているが、本発明は他の形状の蓋部であってもよく、例えば、容器本体２の周壁部６が湾曲状に形成されている場合、蓋部を平面視円弧状（湾曲板状）に形成することも可能である。
【００４１】
また、上記した実施の形態では、取出口６２は、操作板３の押圧部３０の押圧方向に直交する方向に向けて開口されているが、本発明は、取出口６２の開口向きが押圧部３０の押圧方向に対して直交していなくてもよく、例えば、押圧部３０の押圧方向に対して斜めの方向に向けて取出口６２が開口されていてもよい。
【００４２】
また、上記した実施の形態では、平面視略六角形状の容器１について説明しているが、本発明は、他の形状の容器であってもよく、例えば、平面視における容器の形状としては、長方形等の六角形以外の多角形であってもよく、或いは、円形や楕円形、長方円形等であってもよい。
また、上記した実施の形態では、表壁部４と裏壁部５とが同一の平面視形状を成しているが、本発明は、表壁部４と裏壁部５とが異なる形状であってもよい。
【００４３】
また、上記した実施の形態では、容器本体２の内部が隔壁部７によって２つの収容室１１Ａ，１１Ｂに区画されているが、本発明は、容器本体２の内部を隔壁部によって３つ以上の収容室に区画することも可能であり、或いは、隔壁部７を省略して、容器本体の内部に収容室を１つだけ形成することも可能である。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４５】
１  容器
２  容器本体
３  操作板
６  周壁部
７  隔壁部
８，１０８  ロック部材
１１Ａ，１１Ｂ  収容室
３０  押圧部
３１  蓋部
６２  取出口
Ｔ  内容物
【図１】
2011073712.tif 000003
【図２】
2011073712.tif 000004
【図３】
2011073712.tif 000005
【図４】
2011073712.tif 000006